(57)【要約】  【課題】  網戸のサッシ枠から外れを確実に防ぐことのできる装置を提供する。  【解決手段】  サッシ枠１に、サッシ下枠１ｂに設けた案内レール２に沿って転動する戸車６を設けた網戸４をけんどん式に建込む引き戸サッシに係り、前記サッシ枠１に外れ止め材９を取付け、該外れ止め材９を、けんどん操作で網戸上框４ａをサッシ上枠１ａの下端に接触させたときの前記網戸下框４ｂに対して屋外側で屋内外方向に重なる位置に配置する。また、前記外れ止め材９と前記網戸下框４ｂの屋外端面との離開間隙を、前記戸車６と前記網戸下框４ｂの屋内端面との離開間隙より狭くする。【選択図】    図３
2008274543.tif 000002
【特許請求の範囲】
【請求項１】
サッシ枠に、サッシ下枠に設けた案内レールに沿って転動する戸車を設けた網戸をけんどん式に建込む引き戸サッシにおいて、前記サッシ枠に外れ止め材を取付け、該外れ止め材を、けんどん操作で網戸上框をサッシ上枠の下端に接触させたときの網戸下框に対して屋外側で屋内外方向に重なる位置に配置した、引き戸サッシにおける網戸の外れ止め装置。
【請求項２】
外れ止め材と網戸下框の屋外端面との離開間隙を、戸車又は案内レールと前記網戸下框の屋内端面との離開間隙より狭くした、請求項１記載の引き戸サッシにおける網戸の外れ止め装置。
【発明の詳細な説明】
【技術分野】
【０００１】
本発明は、片引きサッシや引違いサッシ等のサッシ枠に防虫効果を期待するためにけんどん式に建込む網戸の外れ止め装置に関するものである。
【背景技術】
【０００２】
サッシ枠に網戸をけんどん式に建て込んだ後、網戸のたて框にビスで取付けた装置本体に組付けた昇降体をばね付勢を利用して上昇させ、その上端部をサッシ上枠に設けた網戸用レール内に係合させて、網戸の上昇許容範囲を狭めてその上昇を規制するようにして、サッシ枠から網戸が外れるのを防ぐようにした構造のものが一般である（例えば特許文献１）。
【０００３】
【特許文献１】実開昭６０−１４６１６５号公報
【発明の開示】
【発明が解決しようとする課題】
【０００４】
前記従来構造のものは、網戸の上昇を規制して網戸のサッシ枠からの外れを防ぐものであるが、サッシ枠を装置本体に取付けたビスの経年変化による緩みや締め忘れ等によりその規制状態が保持されないで、移動操作等に伴って簡単に上下動して外れる場合があり、また、前記ビスによる固定（取付け）状態が設計通りの状態であるとしても、強風にさらされると、上部側が上枠に、下部側が下枠にそれぞれ止められた状態になるので上下方向の中間部に強風が作用し、屋外方向に突出して外れることがあり、従来構造のものは、強風が作用する場合のように網戸の変形による外れに対応できない。
【０００５】
本発明は、斯様な従来例の欠点に着目し、簡単な構造によって網戸のサッシ枠からの外れ（脱落）を確実に防ぐことのできる装置を提供すべく創案したものである。
【課題を解決するための手段】
【０００６】
サッシ枠に、サッシ下枠に設けた案内レールに沿って転動する戸車を設けた網戸をけんどん式に建込む引き戸サッシにおいて、前記サッシ枠に外れ止め材を取付け、該外れ止め材を、けんどん操作で網戸上框をサッシ上枠の下端に接触させたときの網戸下框に対して屋外側で屋内外方向に重なる位置に配置したことを基本的手段として、この基本的手段に、前記外れ止め材と前記網戸下框の屋外端面との離開間隙を、前記戸車又は案内レールと前記網戸下框の屋内端面との離開間隙より狭くした点を付加することにより尚一層確実に外れ止め効果を期待するのである。
【０００７】
なお、前記離開間隙の関係は、戸車と案内レールの係合間隙が中断されての網戸下框の屋外方向の移動を外れ止め材が規制し、網戸の外れ止め効果を期待することを意味する。
【発明の効果】
【０００８】
本発明によれば、常態時は勿論、強風にさらされて網戸の変形によるサッシ枠からの脱落にも対処し、構造が簡単で外れ止めとしての好適な装置を提供できる。
【実施例】
【０００９】
図面は、本発明に係る引き戸サッシにおける網戸の外れ止め装置の一実施例を示し、図１は本発明を適用した引き戸サッシの正面図、図２は図１の一部拡大横断面図、図３は図１のａ−ａ線拡大断面図、図４は図１のｂ−ｂ線拡大断面図、図５は上框と上案内レールの関係を示す断面図である。
【００１０】
実施例の引き戸サッシは引違いサッシを示すが、本発明は、片引きサッシその他の引き戸サッシであって、網戸をけんどん式に建込む構成のものに適用できる。
【００１１】
図中、１は上枠１ａの屋外端の垂下部片を上案内レール２と、下枠１ｂの屋外端の立ち上り部片を下案内レール３としてそれぞれ適用したサッシ枠、４は該サッシ枠１にけんどん式に嵌め込んだ網戸である。
【００１２】
網戸４は、サッシ上枠１ａの前記上案内レール２に、上框４ａの上端に立設した屋内外の一対の部片４ａ´，４ａ´´で構成した係合溝５を送り込み、次いで、下框４ｂに見付け方向に並べて転動自在に軸支させた一対の戸車６がサッシ枠１側の前記下案内レール３上に位置するまで戻して、所謂、けんどん操作によってサッシ枠１に建込んだものである。
【００１３】
図示７は、サッシ枠１の一方のたて枠１ｃの下部の屋外端面に取付けた装置基枠で、装置基枠７は、基部片７ａの片面側に３枚の部片を屋内外方向に並べてサッシ枠１の面内方向に突設し、屋内端側の部片を取付け部片７ｂとし、残余の屋内外の部片を支持部片７ｃ，７ｃ´とした断面Ｅ形状の枠体で構成したもので、基部片７ａをたて枠１ｃの屋外端部片１ｃ´にビス８で止着して該部片１ｃ´に屋外方向に突設したものである。
【００１４】
この装置基枠７の、サッシ枠１に建込んだ前記網戸４より屋外方向に突出する屋内外の支持部片７ｃ，７ｃ´間には棒杆体で成る外れ止め材９の基部を係合し、前記支持部片７ｃ，７ｃ´にわたした枢軸１０で外れ止め材９を前記装置基枠７に起伏自在に枢着してある。
【００１５】
外れ止め材９は、サッシ下枠１ｂに設けた前記下案内レール３に沿い、しかも、下案内レール３の長手（見付け）方向のほぼ全域に渉る長さの棒杆体で成り、一端側である基部を前記装置基枠７に起伏自在に枢着し、網戸４の建込み、或いは、取り外し操作時に枢軸１０を中心に回動させて起立させられるようにし、建込み操作後に倒伏させて網戸４の下框４ｂの前方の近接位置にして屋内外（見込み）方向に重なるように配置し、前記網戸４すなわち網戸上框４ａをけんどん式に上昇させたときに（上框４ａが風圧や地震等で上昇したときに）サッシ上枠１ａの屋外端部片である上案内レール２の下端２´と、該下端２´と対向するように配置する網戸上框４ａの部片である前記係合溝５の底部片４ａ´´´乃至前記屋内端部片４ａ´´とが当接したときに、少くとも網戸下框４ｂの下端に対して屋外側で屋内外方向に重なる位置に配置したものである。
【００１６】
なお、実施例の枢軸１０は、外れ止め材９を通じて支持部片７ｃ，７ｃ´にわたしたボルト１０ａと屋内側支持部片７ｃより突出するボルト先端に螺合したナット１０ｂで構成してある。
【００１７】
また、外れ止め材９は、その先端を受枠１１に受支されて倒伏状態が保たれ、受枠１１は、溝形の受部１１ａの屋内側部片１１ａ´より屋内方向に延設した取付け部１１ｂの先端部片を前記下枠に設けた外障子用下レール片１２に重ね合わせてビス止め１３して下枠１ｂより前記受部１１ａを突出させ、該受部１１ａにおいて外れ止め材９先端部を受支する。
【００１８】
そして、先端部を受部１１ａ（受枠１１）に受支された外れ止め材９と該外れ止め材９に重なり合って屋内側に位置する網戸下框４ｂの屋外端面４ｂ´との離開間隙ａを、前記戸車６（又は下案内レール３）と下框４ｂの屋内端面４ｂ´´との離開間隙ｂより狭くしてある。
【００１９】
なお、図中、１４は、外れ止め材９を倒伏させて装置基枠７と受枠１１に受支させた後、該外れ止め材９の中間部の上面に規制部片１４ａを重ね合わせて該受支状態を確実に維持するための規制枠で、規制枠１４は水平状の取付け部片１４ｂの屋外端側にＬ字形の前記規制部片１４ａを立設して構成し、取付け部片１４ｂの屋内端部をビス１５によって下枠１ｂの屋外端部に止着し、規制部片１４ａの上端部１４ａ´を外れ止め材９上に重ね合わせて外れ止め材９の倒伏状態、すなわち、網戸４の外れ止め防止状態を確実に維持する。
【００２０】
なお、実施例の外れ止め材９は棒杆体で構成し、下案内レール３のほぼ全域に渉って配置してあるが、形状は実施例のものに限定する必要はないし、その個数も自在で（ピースものを点在させるようにして網戸下框４ｂの前方に配しても良い）、また、下枠１ｂに対する取付け手段も任意に選択すれば良い。
【００２１】
また、実施例の規制枠１４は省略しても良く、実施例のように、網戸４の建込み操作時又は取り外し操作時に網戸下框４ｂの前方位置より後退できる（枢軸１０を中心に回動、起立させて）ようにしていると、網戸の交換や洗浄等の操作を行え、実用的であるが、必ずしも、後退できるようにしなくとも、網戸の脱落の対処に不都合はないから、本発明の実施はできる。
【図面の簡単な説明】
【００２２】
【図１】本発明を適用した引き戸サッシの正面図。
【図２】図１の一部拡大横断面図。
【図３】図１のａ−ａ線拡大断面図。
【図４】図１のｂ−ｂ線拡大断面図。
【図５】上框と上案内レールの関係を示す断面図
【符号の説明】
【００２３】
１      サッシ枠
１ａ    サッシ上枠
１ｂ    サッシ下枠
２      案内レール
４      網戸
４ａ    網戸上框
４ｂ    網戸下框
６      戸車
９      外れ止め材
【図１】
2008274543.tif 000003
【図２】
2008274543.tif 000004
【図３】
2008274543.tif 000005
【図４】
2008274543.tif 000006
【図５】
2008274543.tif 000007